(57)【要約】【課題】アンテナの広帯域な周波数特性を同時に、かつ低コストに測定するアンテナ測定装置を得る。【解決手段】測定したい周波数範囲の高周波信号がアンテナ１１０から放射され、測定アンテナ部１２０で受信される。  その後、電力分配部１３０により分配された高周波信号は、通過周波数帯域の異なるフィルタ１４１，１４２，１４３により帯域制限される。  フィルタ１４１，１４２，１４３を通過した高周波信号は、周波数変換部１５１，１５２，１５３により周波数変換され、電力合成部１８０により合成後に、受信機１９０により検波され、振幅位相検出部２００により検波された信号の振幅および位相が検出される。  この構成により、測定したい周波数範囲よりも狭い周波数範囲に対応する受信機１９０を用いて測定することが可能となり、アンテナの広帯域な周波数特性を同時に、かつ低コストに測定することができる。【選択図】図１
2014157027.tif 000002
【特許請求の範囲】
【請求項１】
高周波信号を生成する高周波生成部と、
前記高周波信号を送信する第１のアンテナ部と、
前記第１のアンテナ部からの高周波信号を受信する第２のアンテナ部と、
前記第２のアンテナ部による高周波信号をＭ（Ｍは任意の自然数）個に分配する電力分配部と、
前記電力分配部により分配された高周波信号をフィルタリングするＭ個のフィルタと、
Ｍ個の周波数値を設定する周波数設定部と、
前記周波数設定部により設定された周波数の局部発振信号をそれぞれ生成するＭ個の基準信号源と、
前記フィルタを通過したそれぞれの高周波信号を、前記基準信号源により生成されたそれぞれの局部発振信号によって周波数変換するＭ個の周波数変換部と、
前記周波数変換部により周波数変換された信号を合成する電力合成部と、
前記電力合成部の出力信号を検波する受信機と、
前記受信機により検波された信号の振幅および位相を検出する振幅位相検出部と、
を備えたアンテナ測定装置。
【請求項２】
複数のサブキャリアを配置したマルチキャリア信号を生成するマルチキャリア信号生成部と、
前記マルチキャリア信号を送信する第１のアンテナ部と、
前記第１のアンテナ部からのマルチキャリア信号を受信する第２のアンテナ部と、
前記第２のアンテナ部によるマルチキャリア信号をＭ（Ｍは任意の自然数）個に分配する電力分配部と、
前記電力分配部により分配されたマルチキャリア信号をフィルタリングするＭ個のフィルタと、
Ｍ個の周波数値を設定する周波数設定部と、
前記周波数設定部により設定された周波数の局部発振信号をそれぞれ生成するＭ個の基準信号源と、
前記フィルタを通過したそれぞれのサブキャリアを、前記基準信号源により生成されたそれぞれの局部発振信号によって周波数変換するＭ個の周波数変換部と、
前記周波数変換部により周波数変換されたサブキャリアを合成する電力合成部と、
前記電力合成部の出力信号を検波する受信機と、
前記受信機による検波がなされた信号により、それぞれのサブキャリアに分離する分波部と、
前記分波部により分離されたそれぞれのサブキャリアの振幅および位相を検出する振幅位相検出部と、
を備えたアンテナ測定装置。
【請求項３】
第１のアンテナ部は、
複数の素子アンテナからなるアレーアンテナであり、
これに加え、
マルチキャリア信号生成部によるマルチキャリア信号の各サブキャリアを、前記アレーアンテナの各素子アンテナに割り当てるサブキャリア割当部を備えたことを特徴とする請求項２記載のアンテナ測定装置。
【請求項４】
フィルタは、
それぞれ異なる通過周波数帯域を有することを特徴とする請求項１から請求項３のうちのいずれか１項記載のアンテナ測定装置。
【請求項５】
周波数変換部は、
同一周波数帯域に周波数変換することを特徴とする請求項１から請求項４のうちのいずれか１項記載のアンテナ測定装置。
【請求項６】
周波数設定部は、
周波数変換部から出力されるそれぞれのサブキャリアが重ならないような局部発振信号の周波数値をそれぞれ設定することを特徴とする請求項２または請求項３記載のアンテナ測定装置。
【請求項７】
第１のアンテナ部および第２のアンテナ部のうちのいずれか一方を測定対象としたことを特徴とする請求項１から請求項６のうちのいずれか１項記載のアンテナ測定装置。
【請求項８】
測定したい周波数範囲を設定する周波数設定工程と、
前記周波数範囲に基づいて、高周波信号を生成する測定用信号生成工程と、
第１のアンテナ部から前記高周波信号を送信する測定用信号送信工程と、
前記第１のアンテナ部からの高周波信号を第２のアンテナ部により受信する測定用信号受信工程と、
前記受信された高周波信号をＭ（Ｍは任意の自然数）個の高周波信号に分波する分波処理工程と、
前記Ｍ個の高周波信号を周波数変換する周波数変換処理工程と、
前記周波数変換された高周波信号を合成する合成処理工程と、
前記合成された高周波信号を受信機によりそれぞれ検波する検波処理工程と、
前記検波された信号の振幅および位相を検出する振幅位相検出工程と、
を備えたアンテナ測定方法。
【請求項９】
測定したい周波数範囲および周波数点数に基づいて、各サブキャリアの搬送波周波数を設定する搬送波周波数設定工程と、
前記搬送波周波数に基づいて、複数のサブキャリアを配置したマルチキャリア信号を生成する測定用信号生成工程と、
第１のアンテナ部から前記マルチキャリア信号を送信する測定用信号送信工程と、
前記第１のアンテナ部からのマルチキャリア信号を第２のアンテナ部により受信する測定用信号受信工程と、
前記受信されたマルチキャリア信号をＭ（Ｍは任意の自然数）個のサブキャリア群に分波する分波処理工程と、
前記Ｍ個のサブキャリア群を周波数変換する周波数変換処理工程と、
前記周波数変換されたサブキャリア群を合成する合成処理工程と、
前記合成されたサブキャリアを受信機によりそれぞれ検波する検波処理工程と、
前記検波された信号により、それぞれのサブキャリアに分離する分離処理工程と、
前記分離されたそれぞれのサブキャリアの振幅および位相を検出する振幅位相検出工程と、
を備えたアンテナ測定方法。
【請求項１０】
分波処理工程は、
それぞれ異なる周波数帯域毎に分波することを特徴とする請求項８または請求項９記載のアンテナ測定方法。
【請求項１１】
周波数変換処理工程は、
同一周波数帯域に周波数変換することを特徴とする請求項８または請求項９記載のアンテナ測定方法。
【請求項１２】
周波数変換処理工程は、
サブキャリアが重ならないように周波数変換することを特徴とする請求項９記載のアンテナ測定方法。
【発明の詳細な説明】
【技術分野】
【０００１】
本発明は、アンテナの通過振幅位相特性を、広い周波数範囲にわたって測定可能なアンテナ測定装置およびアンテナ測定方法に関する。
【背景技術】
【０００２】
アンテナにおいて、所定の性能を満足しているかを確認するため、電波暗室などで、その放射特性（振幅、位相）を、必要な周波数範囲において、測定することが求められる。
また、複数の素子アンテナからなるアレーアンテナにおいては、所望の放射特性を得るためには、各素子アンテナの振幅位相特性を測定し、所定の値に補正する校正技術が必須となる。
このように、各アンテナの振幅位相特性を精度よく、かつ高速に測定することが重要である。
【０００３】
広い周波数範囲の測定を行う場合、測定装置の広帯域化が必要となるが、アナログ・ディジタル変換部などを含めて対応できる周波数帯域幅に依存して、測定装置の構成が複雑になり、コストが高くなる課題がある。
これは、無線通信装置などの製品本体に測定機能を搭載する場合には、特に課題となる可能性がある。
そこで、例えば、無線通信システム向けの広帯域受信機に関する技術として、下記特許文献１では、通過周波数帯域の異なる複数のフィルタを組み合わせて、狭帯域な信号に分波した後で、通信処理を行う構成を示している。
【先行技術文献】
【特許文献】
【０００４】
【特許文献１】特開２００６−１２１１６１号公報
【発明の概要】
【発明が解決しようとする課題】
【０００５】
特許文献１の技術は、分波後の処理は狭帯域な信号であるが、分波数分の受信機を用意する必要があり、装置規模が大きくなることから、高コストになる課題がある。
また、無線通信用受信機に関する技術であり、アンテナの広帯域な周波数特性を同時に測定する点については記載されていない。
【０００６】
本発明は、アンテナの広帯域な周波数特性を同時に、かつ低コストに測定するアンテナ測定装置およびアンテナ測定方法を得ることを目的とする。
【課題を解決するための手段】
【０００７】
本発明のアンテナ測定装置は、高周波信号を生成する高周波生成部と、高周波信号を送信する第１のアンテナ部と、第１のアンテナ部からの高周波信号を受信する第２のアンテナ部と、第２のアンテナ部による高周波信号をＭ個に分配する電力分配部と、電力分配部により分配された高周波信号をフィルタリングするＭ個のフィルタと、Ｍ個の周波数値を設定する周波数設定部と、周波数設定部により設定された周波数の局部発振信号をそれぞれ生成するＭ個の基準信号源と、フィルタを通過したそれぞれの高周波信号を、基準信号源により生成されたそれぞれの局部発振信号によって周波数変換するＭ個の周波数変換部と、周波数変換部により周波数変換された信号を合成する電力合成部と、電力合成部の出力信号を検波する受信機と、受信機により検波された信号の振幅および位相を検出する振幅位相検出部とを備えたものである。
【発明の効果】
【０００８】
本発明によれば、フィルタを通過した高周波信号を周波数変換部により周波数変換し、電力合成部により合成後に、受信機による検波を行い、振幅位相検出部による検波された信号の振幅および位相を検出するので、測定したい周波数範囲よりも狭い周波数範囲に対応する受信機を用いて測定が可能であり、アンテナの広帯域な周波数特性を同時に、かつ低コストに測定することができる効果がある。
【図面の簡単な説明】
【０００９】
【図１】本発明の実施の形態１によるアンテナ測定装置を示す構成図である。
【図２】本発明の実施の形態１によるアンテナ測定方法を示すフローチャートである。
【図３】本発明の実施の形態２によるアンテナ測定装置を示す構成図である。
【図４】本発明の実施の形態２によるアンテナ測定方法を示すフローチャートである。
【図５】マルチキャリア信号生成部により生成されるマルチキャリア信号を示す周波数特性図である。
【図６】各フィルタから出力されたサブキャリア群を示す周波数特性図である。
【図７】各周波数変換部から出力されたサブキャリア群を示す周波数特性図である。
【図８】電力合成部により合成されたサブキャリア群を示す周波数特性図である。
【図９】本発明の実施の形態３によるアンテナ測定装置を示す構成図である。
【図１０】各素子アンテナに割り当てられるサブキャリアを示す周波数特性図である。
【図１１】本発明の実施の形態４によるアンテナ測定装置を示す構成図である。
【発明を実施するための形態】
【００１０】
実施の形態１．
本発明の実施の形態１によるアンテナ測定装置について図面を参照しながら説明する。
図１は、本発明の実施の形態１によるアンテナ測定装置を示す構成図であり、測定対象のアンテナを送信側に設置した場合の測定例を示している。
また、本発明に必要な部分のみを記載している。
【００１１】
図１において、１００は測定に用いる高周波信号を生成する高周波信号生成部、１１０は測定対象であり、高周波信号を送信するアンテナ、１２０はアンテナ１１０からの高周波信号を受信する測定アンテナ部であり、測定アンテナ部１２０は、アンテナ１１０に対して所定の位置に配置される。
【００１２】
１３０は受信した高周波信号を所定の数（Ｍ個：Ｍは任意の自然数）に分配する電力分配部、１４１，１４２，１４３はそれぞれ所定の通過周波数帯域を有するＭ個のフィルタ、１５１，１５２，１５３は高周波信号を所定の低い周波数帯に変換するＭ個の周波数変換部、１６１，１６２，１６３は周波数変換部１５１，１５２，１５３に局部発振周波数の正弦波を供するＭ個の基準信号源、１７０は各基準信号源１６１，１６２，１６３の局部発振周波数を設定する周波数設定部である。
【００１３】
１８０は各周波数変換部１５１，１５２，１５３の出力信号を電力合成する電力合成部、１９０は合成した信号を検波する受信機、２００は検波信号を用いて、その振幅および位相情報を検出する振幅位相検出部である。
【００１４】
次に動作について説明する。
図２は、本発明の実施の形態１によるアンテナ測定方法を示すフローチャートである。
まず、測定したい周波数範囲を設定する（ステップＳＴ１０１：周波数設定工程）。
高周波信号生成部１００では、設定された周波数範囲の振幅位相特性を測定するための高周波信号を生成する（ステップＳＴ１０２：測定用信号生成工程）。
その高周波信号は、測定対象であるアンテナ１１０から放射され、測定アンテナ部１２０で受信される（ステップＳＴ１０３，ＳＴ１０４：測定用信号送信工程、測定用信号受信工程）。
測定アンテナ部１２０は、受信アンテナ単体だけでなく、増幅器および減衰器など、高周波信号を適切な電力レベルに調整する機能を含んだアンテナ部を意味する。
【００１５】
その後、電力分配部１３０により、所定の数（Ｍ個）だけ受信信号は分配される。
分配された高周波信号は、それぞれ通過周波数帯域の異なるフィルタ１４１，１４２，１４３により帯域制限される（ステップＳＴ１０５：分波処理工程）。
例えば、各フィルタ１４１，１４２，１４３の通過帯域幅を等しくした場合は、出力信号は１／Ｍ倍の周波数帯域となる。
フィルタ１４１，１４２，１４３の出力信号は、周波数変換部１５１，１５２，１５３により、後ほどディジタル信号に変換しやすいように低い周波数帯（ＩＦ帯）の信号に変換される。
基準信号源１６１，１６２，１６３は、高周波信号をＩＦ帯に変換するための局部発振周波数を有する正弦波を生成する。
その発振周波数は、周波数設定部１７０により制御される。
周波数設定部１７０は、周波数変換部１５１，１５２，１５３の各出力信号の周波数成分が互いに重ならないよう、かつ同一周波数帯になるような発振周波数を設定する（ステップＳＴ１０６：周波数変換処理工程）。
【００１６】
つぎに、低周波帯に変換された信号は、電力合成部１８０において合成される（ステップＳＴ１０７：合成処理工程）。
合成信号は、受信機１９０により検波される（ステップＳＴ１０８：検波処理工程）。
振幅位相検出部２００は、その振幅および位相情報を検出する（ステップＳＴ１０９：振幅位相検出工程）。
なお、周波数変換部１５１，１５２，１５３によって、同一周波数帯の信号に周波数変換されており、元の高周波信号の周波数帯域よりも狭い帯域の信号が得られる。
したがって、受信機１９０は、測定した周波数帯域幅よりも狭い周波数帯域のものでよい。
【００１７】
以上のように、本実施の形態１によれば、フィルタ１４１，１４２，１４３を通過した高周波信号を周波数変換部１５１，１５２，１５３により周波数変換し、電力合成部１８０により合成後に、受信機１９０による検波を行い、振幅位相検出部２００による検波された信号の振幅および位相を検出するので、測定したい周波数範囲よりも狭い周波数範囲に対応する受信機１９０を用いて測定が可能であり、アンテナの広帯域な周波数特性を同時に、かつ低コストに測定することができる。
【００１８】
また、各フィルタ１４１，１４２，１４３を、それぞれ異なる通過周波数帯域を有するようにしたので、各フィルタ１４１，１４２，１４３通過後の高周波信号の周波数帯域が重なることなく、周波数特性を高精度に測定することができる。
【００１９】
さらに、周波数変換部１５１，１５２，１５３は、同一周波数帯域に周波数変換するようにしたので、より狭い周波数範囲に対応する受信機１９０を用いての測定が可能であり、より低コストに測定することができる。
【００２０】
なお、図１では電力分配部１３０としているが、いわゆるフィルタ機能を含む分波部に置き換え、異なる周波数帯域の信号を直接抽出する構成としてもよい。
その場合、後段のＭ個のフィルタ１４１，１４２，１４３は、不要となる。
【００２１】
実施の形態２．
本発明の実施の形態２によるアンテナ測定装置について図面を参照しながら説明する。
図３は、本発明の実施の形態２によるアンテナ測定装置を示す構成図であり、測定対象のアンテナを送信側に設置した場合の測定例を示している。
前記実施の形態１においては、高周波信号の特性に制約は設けていないが、本実施の形態２では、より効率的に周波数帯域幅を圧縮できる構成を示す。
なお、各図中、同一符号は、同一または相当部分を示す。
【００２２】
図３において、大部分の構成は、図１と同じであり、各構成要素の動作も、同一または相当である。
違いとしては、高周波信号生成部１００がマルチキャリア信号生成部２１０に置き換わる。
また、受信機１９０の後段に、分波部２２０が追加され、その出力信号が振幅位相検出部２００に接続される構成である。
マルチキャリア信号生成部２１０は、複数のサブキャリアを配置したマルチキャリア信号を生成する。
分波部２２０は、受信機１９０による検波された信号により、それぞれのサブキャリアに分離する。
【００２３】
次に動作について説明する。
図４は、本発明の実施の形態２によるアンテナ測定方法を示すフローチャートである。
まず、測定したい周波数範囲や周波数点数を設定する（ステップＳＴ２０１：搬送波周波数設定工程）。
マルチキャリア信号生成部２１０では、設定された周波数範囲や周波数点数により、図５に示すように、振幅位相特性を測定するための複数のサブキャリア３０１を配置したマルチキャリア信号を生成する（ステップＳＴ２０２：測定用信号生成工程）。
各サブキャリア３０１は、無変調信号の正弦波でもよい。
各サブキャリア３０１は、受信機１９０以降で分波できるような間隔で、測定する周波数帯域幅Ｂ内にそれぞれ配置される。
なお、図５では、等間隔の配置例を示しているが、この限りではなく、ランダムな間隔など不等間隔での配置も可能である。
【００２４】
そのマルチキャリア信号は、測定対象であるアンテナ１１０から放射され、測定アンテナ部１２０で受信される（ステップＳＴ２０３，ＳＴ２０４：測定用信号送信工程、測定用信号受信工程）。
その後、図３の電力分配器１３０でＭ個に電力分配されたマルチキャリア信号は、図６に示すように、通過周波数帯域の異なるＭ個のフィルタ１４１，１４２，１４３によりそれぞれ分波される。
３１１は図３のフィルタ（１）１４１の出力信号のサブキャリア、３１２は図３のフィルタ（２）１４２の出力信号のサブキャリア、３１３は図３のフィルタ（３）１４３の出力信号のサブキャリアであり、全フィルタ１４１，１４２，１４３から通過したサブキャリアを考慮すると、図５の送信信号の全サブキャリア３０１が含まれていることになる（ステップＳＴ２０５：分波処理工程）。
【００２５】
つぎに、各フィルタ１４１，１４２，１４３の出力信号は、より低い周波数帯に周波数変換されるが、このとき用いる正弦波の周波数（局部発振周波数）を設定の仕方については、各周波数変換部１５１，１５２，１５３で異なる値とする。
具体的には、各フィルタ１４１，１４２，１４３の出力信号に含まれるマルチキャリア信号の中心周波数は異なっているが、それらをほぼ同じ周波数範囲に周波数変換するように周波数設定部１７０は、各基準信号源１６１，１６２，１６３で発生させる正弦波の局部発振周波数を設定する。
図７は、各周波数変換部１５１，１５２，１５３から出力されたサブキャリア３２１，３２２，３２３の周波数スペクトルを示したものであるが、同一周波数帯に周波数変換されている。
ただし、後述するように各サブキャリア３２１，３２２，３２３は、重複しないように周波数設定を行う。
なお、図７は、周波数の低い方に合わせた周波数変換を行なった例であるが、これに限るものではない。
各出力信号が、同一の周波数帯に変換されていればよい（ステップＳＴ２０６：周波数変換処理工程）。
【００２６】
つぎに、各信号は、前記実施の形態１と同様に、電力合成器１８０によって合成される。
図８は、合成信号の周波数スペクトルを示したものであり、各サブキャリア３３１が同一周波数帯に重畳されていることがわかる。
こうすることで、合成信号の周波数帯域幅は、元のマルチキャリア信号の概ね１／Ｍ倍まで圧縮することができる（ステップＳＴ２０７：合成処理工程）。
【００２７】
つぎに、合成信号は、受信機１９０により、例えば、アナログ・ディジタル変換（Ａ／Ｄ変換）して、ベースバンドの信号として検波される（ステップＳＴ２０８：検波処理工程）。
また、分波部２２０によって、各サブキャリアが分離される（ステップＳＴ２０９：分離処理工程）。
こうすることで、振幅位相検出部２００は、分離された各サブキャリアの振幅および位相を正確、かつ混信することなく、検出することができる（ステップＳＴ２１０：振幅位相検出工程）。
分波部２２０での処理としては、各サブキャリアが直交周波数関係にあるように配置していれば、ＯＦＤＭ（Orthogonal Frequency Division Multiplexing）の原理により、離散フーリエ変換によって、容易に分離可能となる。
【００２８】
以上のように、本実施の形態２によれば、マルチキャリア信号を測定のために利用することで、周波数変換後のサブキャリア間の干渉を回避することができるので、前記実施の形態１の効果に加えて、効率的なアンテナ測定装置を実現することができる。
【００２９】
また、周波数設定部１７０を、周波数変換部１５１，１５２，１５３から出力されたサブキャリア３２１，３２２，３２３が重ならないような局部発振信号の周波数値をそれぞれ設定するようにしたので、電力合成時にサブキャリア３３１が重なることなく、周波数特性を高精度に測定することができる。
【００３０】
実施の形態３．
本発明の実施の形態３によるアンテナ測定装置について図面を参照しながら説明する。
図９は、本発明の実施の形態３によるアンテナ測定装置を示す構成図であり、測定対象のアンテナを送信側に設置した場合の測定例を示している。
本実施の形態３では、測定対象が複数の素子アンテナからなるアレーアンテナの構成を示す。
なお、各図中、同一符号は、同一または相当部分を示す。
【００３１】
図９において、大部分の構成は、図３と同じであり、各構成要素の動作も、同一または相当である。
違いとしては、送信側の構成が変更されている。
その変更点は、サブキャリア割当部４００と、Ｋ（Ｋは任意の自然数）個の素子アンテアからなるアレーアンテナ４１０の追加である。
サブキャリア割当部４００は、マルチキャリア信号を構成する各サブキャリアを、アレーアンテナ４１０の各素子アンテナに割り当てる。
【００３２】
次に動作について説明する。
本実施の形態３では、図５に示したマルチキャリア信号を構成する各サブキャリア３０１を、アレーアンテナ４１０の各素子アンテナに割り当てることで、複数の素子アンテナの特性をも同時に測定可能とする。
図１０は、サブキャリアの割り当て例を示しており、４２１は素子アンテナ＃１に割り当てるサブキャリア、４２２は素子アンテナ＃２に割り当てるサブキャリア、４２３は素子アンテナ＃３に割り当てるサブキャリアである。
なお、図では、順番に各素子アンテアに割り当てる例を示しているが、この限りではなく、各素子アンテナで使用するサブキャリア周波数が重複しないように割り当てればよい。
【００３３】
以上のように、本実施の形態３によれば、マルチキャリア信号の各サブキャリアを、アレーアンテナ４１０の各素子アンテナに割り当てることで、前記実施の形態１の効果に加えて、アレーアンテナ４１０を構成する各素子アンテナの周波数特性を測定することができる。
【００３４】
実施の形態４．
本発明の実施の形態４によるアンテナ測定装置について図面を参照しながら説明する。
図１１は、本発明の実施の形態４によるアンテナ測定装置を示す構成図であり、測定対象のアンテナを受信側に設置した場合の測定例を示している。
前記実施の形態１および前記実施の形態２においては、測定対象となるアンテナ１１０を送信側に設置したので、送信側のアンテナの周波数特性を測定することができた。
本実施の形態３では、測定対象となるアンテナ１１０を受信側に設置した構成を示す。
なお、各図中、同一符号は、同一または相当部分を示す。
【００３５】
図１１において、大部分の構成は、図１と同じであり、各構成要素の動作も、同一または相当である。
図１に対しての変更点は、アンテナ１１０を受信側に設置し、送信側には、測定に用いる高周波信号を送信するための送信アンテナ部５００を設置している。
すなわち、アンテナを送受で取り替えるだけであり、その他の構成や処理は、他の実施の形態と同様である。
【００３６】
以上のように、本実施の形態４によれば、測定対象となるアンテナ１１０を受信側に設置したので、受信側のアンテナの周波数特性を測定することができる。
【００３７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３８】
１００  高周波信号生成部、１１０  アンテナ、１２０  測定アンテナ部、１３０  電力分配部、１４１，１４２，１４３  フィルタ、１５１，１５２，１５３  周波数変換部、１６１，１６２，１６３  基準信号源、１７０  周波数設定部、１８０  電力合成部、１９０  受信機、２００  振幅位相検出部、２１０  マルチキャリア信号生成部、２２０  分波部、３０１，３１１，３１２，３１３，３２１，３２２，３２３，３３１，４１１，４１２，４１３  サブキャリア、４００  サブキャリア割当部、４１０  アレーアンテナ、５００  送信アンテナ。
【図１】
2014157027.tif 000003
【図２】
2014157027.tif 000004
【図３】
2014157027.tif 000005
【図４】
2014157027.tif 000006
【図５】
2014157027.tif 000007
【図６】
2014157027.tif 000008
【図７】
2014157027.tif 000009
【図８】
2014157027.tif 000010
【図９】
2014157027.tif 000011
【図１０】
2014157027.tif 000012
【図１１】
2014157027.tif 000013